【手続補正書】
【提出日】平成16年8月3日(2004.8.3)
【手続補正１】
【補正対象書類名】明細書
【補正対象項目名】特許請求の範囲
【補正方法】変更
【補正の内容】
【特許請求の範囲】
【請求項１】
グローバル動き補償符号化方式を使って動画像を符号化する画像符号化装置であり、
現フレームの画像を入力する画像入力部と、
現フレームと参照フレームとの間のグローバル動きベクトルを求めるグローバル動き探索部と、
グローバル動きベクトルを使って参照フレームの画像から予測画像を作成するグローバル動き補償部と、
前記グローバル動き補償部で作成した予測画像を使って、現フレームを分割した領域毎に動き探索を行うグローバル動き再探索部と、
前記グローバル動き再探索部で求めた動きベクトルを使って、前記グローバル動き補償部で作成した予測画像から、新たに予測画像を作成するグローバル動き再補償部と、
前記グローバル動き再補償部で求めた予測画像を使って、前記領域毎に入力画像を符号化する符号化部と、
前記グローバル動き再補償部で求めた予測画像を使って、前記領域毎に符号化データを復号し、復号画像として出力する復号部と、
該復号画像を蓄積する参照画像メモリと
を備えることを特徴とする画像符号化装置。
【請求項２】
現フレームを分割した領域ごとの動きベクトルを入力する動きベクトル入力部と、
現フレームを分割した領域ごとの動き補償のための予測画像を作成する動き補償部と、
前記符号化部と前記復号部で使用する予測画像を、動き補償部で作成した予測画像とグローバル動き再補償部で作成した予測画像から選択する動き補償選択部と
を備えることを特徴とする請求項１記載の画像符号化装置。
【請求項３】
グローバル動き補償符号化方式を使って動画像を復号する画像復号装置であり、
グローバル動きベクトルを使って参照フレームの画像から予測画像を作成するグローバル動き補償部と、
現フレームを分割した領域毎の動きベクトルを使って、前記グローバル動き補償部で作成した予測画像から，新たに予測画像を作成するグローバル動き再補償部と、
前記グローバル動き再補償過程で求めた予測画像を使って領域毎に符号化データを復号して、復号画像として出力する復号部と、
該復号画像を蓄積する参照画像メモリと
を備えることを特徴とする画像復号装置。
【請求項４】
現フレームを分割した領域ごとの動き補償のための予測画像を作成する動き補償部と、
前記復号部で使用する予測画像を、前記動き補償部で作成した予測画像と前記グローバル動き再補償部とで作成した予測画像から選択する動き補償選択部と
を備えることを特徴とする請求項３に記載の画像復号装置。
【請求項５】
グローバル動き補償符号化方式を使って動画像を符号化する画像符号化方法であり、
現フレームの画像を入力する画像入力過程と、
現フレームと参照フレームとの間のグローバル動きベクトルが求められるグローバル動き探索過程と、
グローバル動きベクトルを使って参照フレームの画像から予測画像が作成されるグローバル動き補償過程と、
前記グローバル動き補償過程で作成された予測画像を使って、現フレームを分割した領域毎に、動き探索が行われグローバル動き再探索部と、
前記グローバル動き再探索過程で求めた動きベクトルを使って、前記グローバル動き補償過程で作成された予測画像から、新たに予測画像が作成されるグローバル動き再補償過程と、
前記グローバル動き再補償過程で求められた予測画像を使って、入力画像が前記領域毎に符号化される符号化過程と、
前記グローバル動き再補償過程で求められた予測画像を使って、符号化データが前記領域毎に復号され、復号画像として出力される復号過程と、
該復号画像が参照画像メモリに蓄積される参照画像蓄積過程と
を有することを特徴とする画像符号化方法。
【請求項６】
現フレームを分割した領域ごとの動きベクトルが入力される動きベクトル入力過程と、
現フレームを分割した領域ごとの動き補償のための予測画像が作成される動き補償過程と、
前記符号化過程と前記復号過程で使用される予測画像が、動き補償過程で作成した予測画像とグローバル動き再補償過程で作成した予測画像から選択される動き補償選択過程と
を有することを特徴とする請求項５記載の画像符号化方法。
【請求項７】
グローバル動き補償符号化方式を使って動画像を復号する画像復号方法であり、
グローバル動きベクトルを使って参照フレームの画像から予測画像が作成されるグローバル動き補償過程と、
現フレームを分割した領域毎の動きベクトルを使って、前記グローバル動き補償過程で作成された予測画像から、新たに予測画像が作成されるグローバル動き再補償過程と、
前記グローバル動き再補償過程で求めた予測画像を使って領域毎に、符号化データが復号されて、復号画像として出力される復号過程と、
該復号画像が参照画像メモリに蓄積される参照画像蓄積過程と
を有することを特徴とする画像復号装置。
【請求項８】
現フレームを分割した領域ごとの動き補償のための予測画像が作成される動き補償過程と、
前記復号過程で使用される予測画像が、前記動き補償過程で作成した予測画像と前記グローバル動き再補償過程とで作成した予測画像から選択される動き補償選択過程と
を有することを特徴とする請求項７に記載の画像復号方法。
【請求項９】
グローバル動き補償符号化方式を使って動画像を符号化する請求項１及び２に記載の画像符号化装置を動作させる画像符号化プログラムであり、
現フレームの画像を入力する画像入力処理と、
現フレームと参照フレームとの間のグローバル動きベクトルが求められるグローバル動き探索処理と、
グローバル動きベクトルを使って参照フレームの画像から予測画像が作成されるグローバル動き補償処理と、
前記グローバル動き補償処理で作成された予測画像を使って、現フレームを分割した領域毎に、動き探索が行われグローバル動き再探索処理と、
前記グローバル動き再探索処理で求めた動きベクトルを使って、前記グローバル動き補償処理で作成された予測画像から、新たに予測画像が作成されるグローバル動き再補償処理と、
前記グローバル動き再補償処理で求められた予測画像を使って、入力画像が前記領域毎に符号化される符号化処理と、
前記グローバル動き再補償処理で求められた予測画像を使って、符号化データが前記領域毎に復号され、復号画像として出力される復号処理と、
該復号画像が参照画像メモリに蓄積される参照画像蓄積処理と
をコンピュータに実行させることを特徴とする画像符号化プログラム。
【請求項１０】
グローバル動き補償符号化方式を使って動画像を復号する請求項３及び４に記載の画像復号装置を動作させる画像復号プログラムであり、
グローバル動きベクトルを使って参照フレームの画像から予測画像が作成されるグローバル動き補償処理と、
現フレームを分割した領域毎の動きベクトルを使って、前記グローバル動き補償処理で作成された予測画像から、新たに予測画像が作成されるグローバル動き再補償処理と、
前記グローバル動き再補償処理で求めた予測画像を使って領域毎に、符号化データが復号されて、復号画像として出力される復号処理と、
該復号画像が参照画像メモリに蓄積される参照画像蓄積処理と
をコンピュータに実行させることを特徴とする画像復号プログラム。
【請求項１１】
グローバル動き補償符号化方式を使って動画像を符号化する請求項１及び２に記載の画像符号化装置を動作させる画像符号化プログラムを記憶した記録媒体であり、
現フレームの画像を入力する画像入力処理と、
現フレームと参照フレームとの間のグローバル動きベクトルが求められるグローバル動き探索処理と、
グローバル動きベクトルを使って参照フレームの画像から予測画像が作成されるグローバル動き補償処理と、
前記グローバル動き補償処理で作成された予測画像を使って、現フレームを分割した領域毎に、動き探索が行われグローバル動き再探索処理と、
前記グローバル動き再探索処理で求めた動きベクトルを使って、前記グローバル動き補償処理で作成された予測画像から、新たに予測画像が作成されるグローバル動き再補償処理と、
前記グローバル動き再補償処理で求められた予測画像を使って、入力画像が前記領域毎に符号化される符号化処理と、
前記グローバル動き再補償処理で求められた予測画像を使って、符号化データが前記領域毎に復号され、復号画像として出力される復号処理と、
該復号画像が参照画像メモリに蓄積される参照画像蓄積処理と
をコンピュータに実行させる画像符号化プログラムを記録したコンピュータ読み取り可能な記憶媒体。
【請求項１２】
グローバル動き補償符号化方式を使って動画像を復号する請求項３及び４に記載の画像復号装置を動作させる画像復号プログラムを記憶した記憶媒体であり、
グローバル動きベクトルを使って参照フレームの画像から予測画像が作成されるグローバル動き補償処理と、
現フレームを分割した領域毎の動きベクトルを使って、前記グローバル動き補償処理で作成された予測画像から、新たに予測画像が作成されるグローバル動き再補償処理と、
前記グローバル動き再補償処理で求めた予測画像を使って領域毎に、符号化データが復号されて、復号画像として出力される復号処理と、
該復号画像が参照画像メモリに蓄積される参照画像蓄積処理と
をコンピュータに実行させる画像復号プログラムを記憶したコンピュータ読み取り可能な記憶媒体。
【請求項１３】
グローバル動き補償符号化方式を使って動画像を符号化する画像符号化装置であり、
現フレームの画像を入力する画像入力部と、
現フレームと参照フレームとの間のグローバル動きベクトルを求めるグローバル動き探索部と、
グローバル動きベクトルを使って参照フレーム内部の画像情報からの予測画像を作成し、また、画像情報の得られない領域においてはグローバル動きベクトルを使って、画像情報が得られた画素の領域における外周の画像情報から予測画像を作成するグローバル動き補償部と、
前記グローバル動き補償部で作成した予測画像を使って、現フレームを分割した領域毎に動き探索を行うグローバル動き再探索部と、
前記グローバル動き再探索部で求めた動きベクトルを使って、前記グローバル動き補償部で作成した予測画像から、新たに予測画像を作成するグローバル動き再補償部と、
前記グローバル動き再補償部で求めた予測画像を使って、前記領域毎に入力画像を符号化する符号化部と、
前記グローバル動き再補償部で求めた予測画像を使って、前記領域毎に符号化データを復号し、復号画像として出力する復号部と、
該復号画像を蓄積する参照画像メモリと、
現フレームを分割した領域ごとの動きベクトルを入力する動きベクトル入力部と、
現フレームを分割した領域ごとの動き補償のための予測画像をグローバル動き補償部で作成した予測画像と、グローバル動き再補償部で作成した予測画像から選択する動き補償選択部と
を備えることを特徴とする画像符号化装置。
【請求項１４】
グローバル動き補償符号化方式を使って動画像を復号化する画像符号化装置であり、
グローバル動きベクトルを使って参照フレーム内部の画像情報からの予測画像を作成し、また、画像情報の得られない領域においてはグローバル動きベクトルを使って、画像情報が得られた画素の領域における外周の画像情報から予測画像を作成するグローバル動き補償部と、
現フレームを分割した領域ごとの動きベクトルを使って、前記グローバル動き補償部で作成した予測画像から、新たに予測画像を作成するグローバル動き再補償部と、
前記グローバル動き再補償部で求めた予測画像を使って、前記領域毎に符号化データを復号し、復号画像として出力する復号部と、
該復号画像を蓄積する参照画像メモリと、
現フレームを分割した領域ごとの動き補償のための予測画像を作成する動き補償部と、
前記復号部で使用する予測画像を、グローバル動き補償部で作成した予測画像と、グローバル動き再補償部で作成した予測画像とから選択する動き補償選択部と
を備えることを特徴とする画像復号装置。
【請求項１５】
グローバル動き補償符号化方式を使って動画像を符号化する画像符号化方法であり、
現フレームの画像を入力する画像入力過程と、
現フレームと参照フレームとの間のグローバル動きベクトルを求めるグローバル動き探索過程と、
グローバル動きベクトルを使って参照フレーム内部の画像情報からの予測画像を作成し、また、画像情報の得られない領域においてはグローバル動きベクトルを使って、画像情報が得られた画素の領域における外周の画像情報から予測画像を作成するグローバル動き補償過程と、
前記グローバル動き補償過程で作成した予測画像を使って、現フレームを分割した領域毎に動き探索を行うグローバル動き再探索過程と、
前記グローバル動き再探索過程で求めた動きベクトルを使って、前記グローバル動き補償過程で作成した予測画像から、新たに予測画像を作成するグローバル動き再補償過程と、
前記グローバル動き再補償過程で求めた予測画像を使って、前記領域毎に入力画像を符号化する符号化過程と、
前記グローバル動き再補償過程で求めた予測画像を使って、前記領域毎に符号化データを復号し、復号画像として出力する復号過程と、
該復号画像を参照画像メモリに蓄積する蓄積過程と、
現フレームを分割した領域ごとの動きベクトルを入力する動きベクトル入力過程と、
現フレームを分割した領域ごとの動き補償のための予測画像をグローバル動き補償過程で作成した予測画像と、グローバル動き再補償過程で作成した予測画像から選択する動き補償選択過程と
を備えることを特徴とする画像符号化方法。
【請求項１６】
グローバル動き補償符号化方式を使って動画像を復号する画像復号方法であり、
グローバル動きベクトルを使って参照フレーム内部の画像情報からの予測画像を作成し、また、画像情報の得られない領域においてはグローバル動きベクトルを使って、画像情報が得られた画素の領域における外周の画像情報から予測画像を作成するグローバル動き補償過程と、
現フレームを分割した領域ごとの動きベクトルを使って、前記グローバル動き補償過程で作成した予測画像から、新たに予測画像を作成するグローバル動き再補償過程と、
前記グローバル動き再補償過程で求めた予測画像を使って、前記領域毎に符号化データを復号し、復号画像として出力する復号過程と、
該復号画像を参照画像メモリに蓄積する蓄積過程と、
現フレームを分割した領域ごとの動き補償のための予測画像を作成する動き補償過程と、
前記復号過程で使用する予測画像を、グローバル動き補償過程で作成した予測画像と、グローバル動き再補償過程で作成した予測画像とから選択する動き補償選択過程と
を備えることを特徴とする画像復号方法。
【請求項１７】
グローバル動き補償符号化方式を使って動画像を符号化する請求項１３に記載の画像符号化装置を動作させる画像符号化プログラムであり、
現フレームの画像を入力する画像入力処理と、
現フレームと参照フレームとの間のグローバル動きベクトルを求めるグローバル動き探索処理と、
グローバル動きベクトルを使って参照フレーム内部の画像情報からの予測画像を作成し、また、画像情報の得られない領域においてはグローバル動きベクトルを使って、画像情報が得られた画素の領域における外周の画像情報から予測画像を作成するグローバル動き補償処理と、
前記グローバル動き補償処理で作成した予測画像を使って、現フレームを分割した領域毎に動き探索を行うグローバル動き再探索処理と、
前記グローバル動き再探索処理で求めた動きベクトルを使って、前記グローバル動き補償処理で作成した予測画像から、新たに予測画像を作成するグローバル動き再補償処理と、
前記グローバル動き再補償処理で求めた予測画像を使って、前記領域毎に入力画像を符号化する符号化処理と、
前記グローバル動き再補償処理で求めた予測画像を使って、前記領域毎に符号化データを復号し、復号画像として出力する復号処理と、
該復号画像を参照画像メモリに蓄積する蓄積処理と、
現フレームを分割した領域ごとの動きベクトルを入力する動きベクトル入力処理と、
現フレームを分割した領域ごとの動き補償のための予測画像をグローバル動き補償処理で作成した予測画像と、グローバル動き再補償処理で作成した予測画像から選択する動き補償選択処理と
をコンピュータに実行させることを特徴とする画像符号化プログラム。
【請求項１８】
グローバル動き補償符号化方式を使って動画像を復号する請求項１４に記載の画像復号装置を動作させる画像復号プログラムであり、
グローバル動きベクトルを使って参照フレーム内部の画像情報からの予測画像を作成し、また、画像情報の得られない領域においてはグローバル動きベクトルを使って、画像情報が得られた画素の領域における外周の画像情報から予測画像を作成するグローバル動き補償処理と、
現フレームを分割した領域ごとの動きベクトルを使って、前記グローバル動き補償処理で作成した予測画像から、新たに予測画像を作成するグローバル動き再補償処理と、
前記グローバル動き再補償処理で求めた予測画像を使って、前記領域毎に符号化データを復号し、復号画像として出力する復号処理と、
該復号画像を参照画像メモリに蓄積する蓄積処理と、
現フレームを分割した領域ごとの動き補償のための予測画像を作成する動き補償処理と、
前記復号処理で使用する予測画像を、グローバル動き補償過程で作成した予測画像と、グローバル動き再補償処理で作成した予測画像とから選択する動き補償選択処理と
をコンピュータに実行させることを特徴とする画像符号プログラム。
【請求項１９】
グローバル動き補償符号化方式を使って動画像を符号化する請求項１３に記載の画像符号化装置を動作させる画像符号化プログラムを記憶した記録媒体であり、
現フレームの画像を入力する画像入力処理と、
現フレームと参照フレームとの間のグローバル動きベクトルを求めるグローバル動き探索処理と、
グローバル動きベクトルを使って参照フレーム内部の画像情報からの予測画像を作成し、また、画像情報の得られない領域においてはグローバル動きベクトルを使って、画像情報が得られた画素の領域における外周の画像情報から予測画像を作成するグローバル動き補償処理と、
前記グローバル動き補償処理で作成した予測画像を使って、現フレームを分割した領域毎に動き探索を行うグローバル動き再探索処理と、
前記グローバル動き再探索処理で求めた動きベクトルを使って、前記グローバル動き補償処理で作成した予測画像から、新たに予測画像を作成するグローバル動き再補償処理と、
前記グローバル動き再補償処理で求めた予測画像を使って、前記領域毎に入力画像を符号化する符号化処理と、
前記グローバル動き再補償処理で求めた予測画像を使って、前記領域毎に符号化データを復号し、復号画像として出力する復号処理と、
該復号画像を参照画像メモリに蓄積する蓄積処理と、
現フレームを分割した領域ごとの動きベクトルを入力する動きベクトル入力処理と、
現フレームを分割した領域ごとの動き補償のための予測画像をグローバル動き補償処理で作成した予測画像と、グローバル動き再補償処理で作成した予測画像から選択する動き補償選択処理と
をコンピュータに実行させる画像符号化プログラムを記憶したコンピュータ読み取り可能な記録媒体。
【請求項２０】
グローバル動き補償符号化方式を使って動画像を復号する請求項１４に記載の画像復号装置を動作させる画像復号プログラムを記録した記録媒体であり、
グローバル動きベクトルを使って参照フレーム内部の画像情報からの予測画像を作成し、また、画像情報の得られない領域においてはグローバル動きベクトルを使って、画像情報が得られた画素の領域における外周の画像情報から予測画像を作成するグローバル動き補償処理と、
現フレームを分割した領域ごとの動きベクトルを使って、前記グローバル動き補償処理で作成した予測画像から、新たに予測画像を作成するグローバル動き再補償処理と、
前記グローバル動き再補償処理で求めた予測画像を使って、前記領域毎に符号化データを復号し、復号画像として出力する復号処理と、
該復号画像を参照画像メモリに蓄積する蓄積処理と、
現フレームを分割した領域ごとの動き補償のための予測画像を作成する動き補償処理と、
前記復号処理で使用する予測画像を、グローバル動き補償過程で作成した予測画像と、グローバル動き再補償処理で作成した予測画像とから選択する動き補償選択処理と
をコンピュータに実行させる画像復号プログラムを記憶したコンピュータ読み取り可能な記録媒体。